(57)【要約】【課題】  同一氏名の相手先を登録可能であり、且つ容易に電話帳を管理可能な電子機器を提供する。【解決手段】  Ｓ０１ステップで氏名が入力されると、同一の氏名が電話帳に存在するか否かを判定し同一の氏名が電話帳に存在すれば（Ｓ０２ステップのＹＥＳ）、Ｓ０１ステップで入力された氏名に自動的に番号を挿入し（Ｓ０５ステップ）、Ｓ０４ステップにおいて、数字の挿入された氏名と入力された電話番号とを対で電話帳に登録し、一方、Ｓ０２ステップにおいて、他アドレスに同一氏名がなければ、Ｓ０３ステップにおいて電話番号が入力され、Ｓ０４ステップにおいて、電話番号と数字の付されていない氏名が電話帳に登録される。【選択図】  図５
2010103835.tif 000002
【特許請求の範囲】
【請求項１】
情報を格納する格納手段と、当該格納手段に格納する情報を入力する入力手段と、当該入力手段から入力された情報と同一名称の情報が既に前記格納手段に格納されていると、自動的に前記入力手段から入力された情報に記号を付して前記格納手段に格納する制御手段と、を有することを特徴とする電子機器。
【請求項２】
相手先の氏名を格納する格納手段と、当該格納手段に格納する氏名を入力する入力手段と、当該入力手段から入力された氏名と同一の氏名が既に前記格納手段に格納されていると、自動的に前記入力手段から入力された氏名に番号を付して前記格納手段に格納する制御手段と、を有することを特徴とする電子機器。
【請求項３】
請求項２に記載の電子機器であり、前記入力手段から入力された氏名と同一の氏名がｎ件（ｎは２以上の整数）既に前記格納手段に格納されていると、前記制御手段は、前記入力手段から入力された氏名にｎ＋１の番号を付して前記格納手段に格納することを特徴とする電子機器。
【請求項４】
請求項２又は３に記載の電子機器であり、前記入力手段から入力された氏名と同一の氏名が１件既に前記格納手段に格納されていると、前記制御手段は、前記入力手段から入力された氏名に２の番号を付して前記格納手段に格納し、一方、既に前記格納手段に格納されている氏名に１の番号を付して格納することを特徴とする電子機器。
【発明の詳細な説明】
【技術分野】
【０００１】
本発明は、氏名と電話番号を対で格納可能な電話帳機能等を有する電子機器に関する。
【背景技術】
【０００２】
現在市販されているコードレス電話や留守番電話には、氏名と電話番号を対で格納可能な電話帳機能が搭載されている。ユーザは、この電話帳機能を活用することにより、容易に相手先へ電話をかけることが可能である。具体的には、ユーザが電話帳に格納されている相手先のリストを電話装置の表示部に表示させ、続いてカーソルを移動操作することにより相手先を選択すると、選択した相手先の電話番号が表示される。この状態でユーザがハンドセットをオフフックすることにより表示されている電話番号へ発呼が行われる。
【０００３】
又、近年では、ファクシミリ番号、メールアドレス、誕生日、血液型等の情報も登録可能な電話帳機能を搭載した電話装置が製品化されている。更に、この電話帳機能に関する特許出願も数多くなされており、例えば特許文献１には、テレビ電話によって相手から送信されて来た撮影画像を電話帳に登録可能な技術が提案されている。
【特許文献１】特開平９−１６３３２９号公報
【発明の開示】
【発明が解決しようとする課題】
【０００４】
しかしながら、近年の留守番電話等では、電話帳に相手先情報（電話番号や氏名等）を登録する際に、同一の氏名で複数相手先を登録することができない。例えば、既に電話帳に「田中一郎」の名前で相手先情報が登録されている状態で、同一氏名である「田中一郎」で新規に登録しようとすると、表示部に「同一氏名が存在します、登録できません」や、或いは「同一氏名が存在します、上書きしますか？」といったメッセージが表示される。  このような構成は、１件の相手先に対して複数の電話番号（例えば４件の電話番号）が登録可能である場合には問題がないが、１件の相手先に対して２件の電話番号しか登録できない場合では、田中一郎さんの氏名で４件の電話番号を登録したいのに２件しか電話帳に登録できないといった問題が生じる。
【課題を解決するための手段】
【０００５】
本発明はこのような課題を解決するためのものであり、請求項１記載の発明は、情報を格納する格納手段と、当該格納手段に格納する情報を入力する入力手段と、当該入力手段から入力された情報と同一名称の情報が既に前記格納手段に格納されていると、自動的に前記入力手段から入力された情報に記号を付して前記格納手段に格納する制御手段と、を有することを特徴とする。
請求項２記載の発明は、相手先の氏名を格納する格納手段と、当該格納手段に格納する氏名を入力する入力手段と、当該入力手段から入力された氏名と同一の氏名が既に前記格納手段に格納されていると、自動的に前記入力手段から入力された氏名に番号を付して前記格納手段に格納する制御手段と、を有することを特徴とする。
請求項３記載の発明は、請求項２に記載の電子機器であり、前記入力手段から入力された氏名と同一の氏名がｎ件（ｎは２以上の整数）既に前記格納手段に格納されていると、前記制御手段は、前記入力手段から入力された氏名にｎ＋１の番号を付して前記格納手段に格納することを特徴とする。
請求項４記載の発明は、請求項２又は３に記載の電子機器であり、前記入力手段から入力された氏名と同一の氏名が１件既に前記格納手段に格納されていると、前記制御手段は、前記入力手段から入力された氏名に２の番号を付して前記格納手段に格納し、一方、既に前記格納手段に格納されている氏名に１の番号を付して格納することを特徴とする。
【発明の効果】
【０００６】
本発明によれば、同一の氏名で相手先の情報を格納手段に格納可能であり、且つ、相手先の氏名を格納する際に自動的に番号が付されるため、相手先の情報を管理しやすくなるだけでなく、相手先の情報を検索する際にユーザは容易に同一氏名の相手先が複数登録されていることを知ることが可能である。
請求項１記載の発明によれば、入力手段から入力された情報と同一名称の情報が既に格納手段に格納されていると、自動的に入力手段から入力された情報に番号を付して格納手段に格納するため、ユーザは複雑な操作をしなくとも同一名称の情報を複数格納手段に格納可能であり、格納手段に格納されている情報を管理しやすくなる。
請求項２記載の発明によれば、入力手段から入力された氏名と同一の氏名が既に格納手段に格納されていると、自動的に入力手段から入力された氏名に番号を付して格納手段に格納するため、ユーザは複雑な操作をしなくとも同一氏名の相手先情報を複数格納手段に格納可能であり、相手先の情報を管理しやすくなる。
請求項３記載の発明によれば、入力手段から入力された氏名と同一の氏名がｎ件（ｎは２以上の整数）既に格納手段に格納されていると、入力手段から入力された氏名にｎ＋１の番号を付して格納手段に格納するため、ユーザは複雑な操作をしなくとも同一氏名の相手先情報を複数格納手段に格納可能であり、相手先の情報を管理しやすくなる。
請求項４記載の発明によれば、入力手段から入力された氏名と同一の氏名が１件既に格納手段に格納されていると、制御手段は、入力手段から入力された氏名に２の番号を付して格納手段に格納し、一方、既に格納手段に格納されている氏名に１の番号を付して格納するため、ユーザは複雑な操作をしなくとも同一氏名の相手先情報を複数格納手段に格納可能であり、相手先の情報を管理しやすくなる。
【発明を実施するための最良の形態】
【０００７】
以下、本発明の具体例を実施例及び図面を用いて詳細に説明する。但し、以下に示す実施例は、本発明の技術的思想を具体化するための電話装置を例示するものであって、本発明をこの電話装置に特定することを意図するものではなく、本発明の技術的範囲は、特許請求の範囲の記載によって定められるものである。
【実施例】
【０００８】
図１は、本発明の実施例にかかるコードレス電話システム１０の全体構成を示す図である。本実施例のコードレス電話システム１０は、電話回線に接続された電話装置の親機２０と、無線通信機能を介してこの親機２０と接続される２台の子機３０ａ，３０ｂとを有してなる。更に、子機３０ａと３０ｂとは、親機２０を介在して無線接続される。尚、このコードレス電話システム１０の通信方式は、アナログ、デジタルのいずれであってもよい。
【０００９】
そして、本実施例の電話装置（例えば親機２０）は、規定件数の個人データを登録可能な電話帳機能を有している。この電話帳機能により登録可能な電話帳データは、個人名称情報と電話番号情報とで構成されており、より具体的には、親機２０は、個人データとして、個人名称と、電話番号を２件まで登録可能とされている。
【００１０】
次に、本発明の実施例にかかるコードレス電話システム１０の回路構成を説明する。図２は、本発明の実施例にかかる親機２０の構成を示すブロック図である。親機２０は、制御部２１、着信検出部２２、回線接続部２３、表示部２４、操作部２５、メモリ部２６、ＡＣアダプタ２７、電源部２８、送信部３０、受信部３１、周波数シンセサイザー３２、送受信アンテナ３３、受話器３４などを備えて構成されている。
【００１１】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。又、制御部２１は、図示せぬバッファメモリを有している。
【００１２】
回線接続部２３は、電話回線と接続されて回線の解放閉結を行ったり、親機２０の電話帳データに記憶されている電話番号情報に基づいて電話回線を通じた発呼処理を行う。
【００１３】
着信検出部２２は、回路接続部２３からの着信信号を受けて着信を検出すると共に、当該着信信号をパルス信号に波形整形して制御部２１に出力する。
【００１４】
表示部２４は、液晶パネル等から構成される表示ユニットであり、制御部２１からの制御信号に応じて、電話帳データである電話番号、通話時間や、通話料金などのテキストデータ等の適宜の表示を行う。
【００１５】
操作部２５は、数字や文字の入力などを行うためのテンキー、発呼および通話の開始などを操作するための通話キー、通話の終了などを操作するための終話キー、電話帳の検索・登録を行うための電話帳キー、その他の各種モードを設定するための操作を行うためのモード設定キー等から構成される。
【００１６】
メモリ部２６は、例えばフラッシュメモリによって構成され、本発明の要部となる電話帳データや、その他機能を実行するのに利用されるユーザ入力データが記憶されている。      
【００１７】
図４は、メモリ部２６の電話帳１００に格納されているデータを示している。図４において、１つのアドレスにつき１件の相手先を格納可能であり、１件の相手先につき、氏名、電話番号１、電話番号２が格納可能である。又、氏名については同一の氏名を格納することが可能であり、例えばアドレス１とアドレス４には「赤田一郎」という同一の氏名を格納することができる。但し、同一の氏名を格納する際には、自動的に氏名に番号が挿入される。具体的には、初めにアドレス１に「赤田一郎」を登録する際には番号が挿入されないが、続いて同一の氏名でアドレス４に「赤田一郎」を登録すると自動的に２という数字が挿入され、「赤田一郎２」と登録される。この場合、アドレス１の「赤田一郎」は自動的に「赤田一郎１」となる。同様にして、３、４、５・・・と同一氏名で登録が可能である。
【００１８】
電源部２８は、ＡＣアダプタ２７から所定の直流電圧を受けて、各回路構成要素に電源を供給する。
【００１９】
送信部３０と受信部３１は、送受信アンテナ３３を介して子機３０との間に無線通信による通話リンクを確立させて、信号の送受信を行う。また、周波数シンセサイザー３２は、当該子機との無線通信のための信号発振を担い、制御部２１からの制御信号によって、送信部３０と受信部３１の送受信周波数を適宜切り換える。
【００２０】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。マイク（ＭＩＣ）は、音声を電気信号に増幅変換して制御部２１内の音声信号処理部に出力する。
【００２１】
次に、図３を参照しつつ、本発明の実施例にかかる子機３０の構成を説明する。コードレス電話装置の子機３０は、制御部４１、表示部４２、操作部４３、メモリ部４４、電源部４５、充電部４６、ＡＣアダプタ４７、送信部４８、受信部４９、周波数シンセサイザー５０、送受信アンテナ５１、レシーバ５２などを備えて構成されている。これらの構成は基本的な機能は親機と変わらず、親機２０と異なる構成のみ以下に説明する。
電源部４５は、充電式のバッテリーを内蔵し、子機３０の各回路構成要素に電源を供給する。充電部４６は、子機３０が充電台（図示せず）に載置されている間、ＡＣアダプタ４７から与えられる直流電圧により電源部４５のバッテリーの充電を行う。
【００２２】
送信部４８と受信部４９は、送受信アンテナ５１を介して親機２０との間に無線通信による通話リンクを確立させて、信号の送受信を行う。また、周波数シンセサイザー５０は、当該親機２０との無線通信のための信号発振を担い、制御部４１からの制御信号によって、送信部４８と受信部４９の送受信周波数を切り換える。
【００２３】
上述のような構成を有する本実施例の電話装置の動作内容を図５のフローチャートを参照しつつ以下詳細に説明する。但し、本実施例装置では表示部２４は例えば液晶表示装置からなり、氏名と２つの電話番号の３行まで表示可能な構成とする。
【００２４】
図５は電話帳に氏名と電話番号を登録する際のフロー図である。図５のＳ０１ステップにおいて、制御部２１は、操作部２５から氏名の入力（例えば、「赤田一郎」）があるとＳ０２ステップへ処理を進める。尚、ここで入力された氏名は、制御部２１内に存在するバッファメモリ（図示せず）に一時的に格納される。
【００２５】
Ｓ０２ステップでは、制御部２１は、メモリ部２６のほかのアドレスにＳ０１ステップで入力された氏名と同一の氏名が存在するか否かを判定し、存在すると判定するとＳ０５ステップへ処理を進め、そうでなければ、Ｓ０３ステップへ処理を進める。尚、具体的には、制御部２１は、バッファメモリ（図示せず）に格納されている氏名とメモリ部２６に格納されている氏名の一致を見る。
【００２６】
Ｓ０３ステップでは、制御部２１は、制御部２１が操作部２５からＳ０１ステップで入力された氏名に対応する電話番号の入力を検出すると、入力された電話番号をバッファメモリ（図示せず）に一時的に格納し、続くＳ０４ステップにおいて、Ｓ０１ステップで入力された氏名とＳ０３ステップで入力された電話番号とを対でメモリ部２６の電話帳１００に格納する。この場合、例えばアドレス１に「赤田一郎」「０３−００００−０００１」「０９０−００００−０００１」が電話帳登録される。
【００２７】
Ｓ０５ステップでは、制御部２１は、Ｓ０１ステップで入力された氏名に数字を挿入する。例えば、Ｓ０２ステップにおいて、同一氏名が１件しか存在しない場合には、「赤田一郎２」が挿入され、同一氏名がｎ件（ｎは２以上の整数）存在する場合には、「赤田一郎ｎ＋１」が挿入される。尚、この件数はＳ０１ステップでバッファメモリ（図示せず）に格納された氏名に付加され上書きで格納される。
【００２８】
続くＳ０６ステップでは、制御部２１は、他の同一氏名に番号が付されていると判定すると、Ｓ０７ステップへ処理を進め、そうでなければＳ０８ステップへ処理を進める。
【００２９】
Ｓ０７ステップでは、制御部２１は、操作部２５から電話番号の入力を検出すると、入力された電話番号を一時的にバッファメモリ（図示せず）に格納し、続くＳ０４ステップで、Ｓ０５ステップで数字が挿入された氏名とＳ０７ステップで入力された電話番号と（共にバッファメモリに格納されている）を対で電話帳１００に登録する。
【００３０】
Ｓ０８ステップでは、制御部２１は、電話帳１００に予め登録されている同一氏名に１の数字を挿入し、上書きで格納する。この場合、Ｓ０６ステップで同一氏名に番号がないということは、Ｓ０１ステップで入力された氏名は、予め電話帳に登録されている氏名が１件目に対し２件目ということになるので、例えば、予め登録されている同一氏名を「赤田一郎」から「赤田一郎１」へと変更し、電話帳１００に上書きで格納する。
【００３１】
続くＳ０９ステップでは、制御部２１は、制御部２１が操作部２５からＳ０１ステップで入力された氏名に対応する電話番号の入力を検出するとバッファメモリに一時的に格納し、続くＳ０４ステップにおいて、Ｓ０５ステップで数字が挿入された氏名とＳ０９ステップで入力された電話番号と（共にバッファメモリに格納されている）を対でメモリ部２６の電話帳１００に格納する。この場合、例えばアドレス４に「赤田一郎２」「０３−００００−０００４」「０９０−００００−０００４」が電話帳登録される。
【００３２】
このように、Ｓ０１ステップで氏名の入力があり、入力された氏名と同一の氏名が１件既に電話帳１００に登録されていると、Ｓ０１ステップで入力された氏名に２の数字を、予め登録されている氏名に１の数字を付して電話帳１００に登録する。同様にして、Ｓ０１ステップで氏名の入力があり、入力された氏名と同一の氏名がｎ件（ｎは２以上の整数）既に電話帳１００に登録されていると、Ｓ０１ステップで入力された氏名に（ｎ＋１）の数字を付して登録し、予め登録されている氏名はそのままの状態にする。一方、Ｓ０１ステップで入力された氏名と同一の氏名が他のアドレスに登録されていなければ、入力された氏名のまま（数字を付加せずに）で電話帳１００に登録される。
【００３３】
このように、本実施例装置では、電話帳１００に同一氏名の相手先を複数登録可能であり、更に、同一氏名を登録する際に自動的に数字が付される。この為、電話帳１００に格納されている相手先を表示する際に、ユーザが、氏名に数字が付されているのを見て、他に同一氏名の相手先が登録されていることを容易に知ることができる。
【００３４】
又、電話帳１００に登録されている相手先を表示する際に、同一氏名で且つ数字が付されている相手先は、１件の相手先として表示しても良い。この場合、若い数字が登録されている相手先の電話番号を優先的に表示する構成としても良い。
【００３５】
尚、本実施例ではコードレス電話装置について実施したが、留守番電話装置、電話機能付ファクシミリ装置、携帯電話装置、電子電話帳等、電話帳の機能を有するものであれば同様に実施可能である。
【００３６】
又、本実施例では自動的に番号を付す構成としたが、アルファベットやひらがな、順番を示す特定のマーク（例えばアイコン等）のように、記号を付す構成としても良い。マーク等を付す場合には、複数のマークに順番を対応付けておくことにより、ユーザはマークを見た際に何番目の同一相手先の情報であるかを認識することができる。
【図面の簡単な説明】
【００３７】
【図１】本発明を適用してなる実施例装置の全体図である。
【図２】本発明を適用してなる実施例装置の親機のブロック図である。
【図３】本発明を適用してなる実施例装置の子機のブロック図である。
【図４】本発明を適用してなる実施例装置のメモリ部２６の格納形態の図である。
【図５】本実施例装置の動作を示すフロー図である。
【符号の説明】
【００３８】
１０・・・・コードレス電話システム
２０・・・・親機
２１・・・・制御部
２２・・・・着信検出部
２３・・・・回線接続部
２４・・・・表示部
２５・・・・操作部
２６・・・・メモリ部
２７・・・・メモリ
２７・・・・ＡＣアダプタ
２８・・・・電源部
２９・・・・録音・再生ユニット
３０・・・・送信部
３０ａ，３０ｂ  無線子機
３１・・・・受信部
３２・・・・周波数シンセサイザー
３３・・・・無線通信アンテナ
３４・・・・受話器
４１・・・・制御部
４２・・・・表示部
４３・・・・操作部
４４・・・・メモリ部
４５・・・・電源部
４６・・・・充電部
４７・・・・ＡＣアダプタ
４８・・・・送信部
４９・・・・受信部
５０・・・・周波数シンセサイザ
５１・・・・無線通信アンテナ
５２・・・・レシーバ
１００・・・電話帳
【図１】
2010103835.tif 000003
【図２】
2010103835.tif 000004
【図３】
2010103835.tif 000005
【図４】
2010103835.tif 000006
【図５】
2010103835.tif 000007